(57)【要約】      （修正有）【課題】キーボード装置のカーソルキーの信号を発し、モニタ上の３Ｄソフトウェア上での方向を操作することができるマウスを提供すること。【解決手段】マウス本体１０の一側の片側の指に対応する位置に凹陥部１２が設けられ、凹陥部１２上に上下左右の四方向の押圧部１３１を備えた小型コントローラ１３が設けられ、マウス本体１０内に配設された制御回路が小型コントローラ１３と電気的に接続されている。マウス本体１０とコンピュータ２０が接続されたとき、小型コントローラ１３のいずれかの方向の押圧部１３１を押して小型コントローラ１３に信号を発生させ、制御回路を介してこの信号をキーボード装置のカーソルキーの信号に変換してコンピュータに出力する。これにより、使用者は片手でマウスと小型コントローラを操作するだけで同時にマウスの機能とキーボード機能とを制御することができる。【選択図】図１
0003139929.tif 000002
【実用新案登録請求の範囲】
【請求項１】
マウス本体の一側部の片側の指に対応する位置に凹陥部が設けられ、前記凹陥部に上下左右の四方向の押圧部を備えた小型コントローラが設けられ、前記マウス本体内にインターフェース回路及び制御回路を有し、前記制御回路と前記インターフェース回路が電気的に接続され、かつ前記制御回路が前記小型コントローラと電気的に接続され、
前記制御回路が前記インターフェース回路を介してコンピュータと接続されたとき、前記小型コントローラの上下左右いずれかの方向の押圧部を押して前記小型コントローラに信号を発生させ、発生した信号が前記制御回路を介してキーボードのカーソルキーの信号に変換され、前記コンピュータに出力されてコンピュータモニタ上の３Ｄソフトウェアの方向位置を制御できるよう構成した、
ことを特徴とするマウス。
【請求項２】
前記凹陥部が前記マウス本体の左側に設けられ、右手での使用に適していることを特徴とする請求項１に記載のマウス。
【請求項３】
前記凹陥部が前記マウス本体の右側に設けられ、左手での使用に適していることを特徴とすることを特徴とする請求項１に記載のマウス。
【請求項４】
前記インターフェース回路がＵＳＢインターフェース回路であることを特徴とする請求項１に記載のマウス。
【請求項５】
マウス本体の一側部の片側の指に対応する位置に凹陥部が設けられ、前記凹陥部に上下左右の四方向の押圧部を備えた小型コントローラが設けられ、前記マウス本体内に無線回路及び制御回路を有し、前記制御回路と前記インターフェース回路が電気的に接続され、かつ前記制御回路が前記小型コントローラと電気的に接続され、
前記制御回路が前記無線回路を介して無線伝送方式でコンピュータと接続されたとき、前記小型コントローラの上下左右いずれかの方向の押圧部を押して前記小型コントローラに信号を発生させ、発生した信号が前記制御回路を介してキーボードのカーソルキーの信号に変換され、前記コンピュータに出力されてコンピュータモニタ上の３Ｄソフトウェアの方向位置を制御できるよう構成した、
ことを特徴とするマウス。
【請求項６】
前記凹陥部が前記マウス本体の左側に設けられ、右手での使用に適していることを特徴とする請求項５に記載のマウス。
【請求項７】
前記凹陥部が前記マウス本体の右側に設けられ、左手での使用に適していることを特徴とする請求項５に記載のマウス。
【請求項８】
前記無線回路がＲＦ無線回路であることを特徴とする請求項５に記載のマウス。
【考案の詳細な説明】
【技術分野】
【０００１】
本考案は、マウスに関し、特に、小型コントローラを設け、キーボードのカーソルキーの信号を発し、モニタ上の３Ｄソフトウェアの方向移動を操作するマウスに関する。
【背景技術】
【０００２】
現在、コンピュータの使用者は、コンピュータのシステムを操作するとき入力装置を使用する必要があるが、入力装置としてキーボード装置のほかではマウスが最も重要である。特に、オペレーティングシステム及び多くのアプリケーションソフトウェアがすでに３Ｄウィンドウで作業を行う時代に入った後、コンピュータの機能はより強大になり、コンピュータの使用者は往々にして数十種を超えるソフトウェア（例えば、３ＤウィンドウのアプリケーションソフトウェアＳＥＣＯＮＤ−ＬＩＦＥ、ＧＯＯＧＬＥ−ＥＡＲＴＨ、ＨＩＰＩＨ等）をインストールして使用するが、ソフトウェアを開いたり必要な機能を使用したりするとき、前記ソフトウェアや機能を見つけるために時間がかかってしまうことがよくある。
【考案の開示】
【考案が解決しようとする課題】
【０００３】
しかしながら、現在販売されているマウスは、多機能の設定ボタンがマウス本体上に設けられているものの、ウィンドウシステムにより多くの機能が追加されたり、上述の３Ｄウィンドウのアプリケーションソフトウェアを操作したりする際に、現在のマウスには３Ｄソフトウェアを操作する機能はなく、機能設定ボタンも足りないため、使用上の必要性を満たすことができず、改良が必要である。
【０００４】
そこで、本考案は、これに鑑みてなされたもので、その目的は、キーボード装置のカーソルキーの信号を発し、モニタ上の３Ｄソフトウェア上の方向を操作することができるマウスを提供することにある。
【課題を解決するための手段】
【０００５】
請求項１に係るマウスは、上記課題を解決するために、マウス本体の一側部の片側の指に対応する位置に凹陥部が設けられ、前記凹陥部に上下左右の四方向の押圧部を備えた小型コントローラが設けられ、前記マウス本体内にインターフェース回路及び制御回路を有し、前記制御回路と前記インターフェース回路が電気的に接続され、かつ前記制御回路が前記小型コントローラと電気的に接続され、前記制御回路が前記インターフェース回路を介してコンピュータと接続されたとき、前記小型コントローラの上下左右いずれかの方向の押圧部を押して前記小型コントローラに信号を発生させ、発生した信号が前記制御回路を介してキーボードのカーソルキーの信号に変換され、前記コンピュータに出力されてコンピュータモニタ上の３Ｄソフトウェアの方向位置を制御できるよう構成したことを特徴とする。
【０００６】
請求項２に係るマウスは、請求項１に係るマウスにおいて、前記凹陥部が前記マウス本体の左側に設けられ、右手での使用に適していることを特徴とするものである。
【０００７】
請求項３に係るマウスは、請求項１に係るマウスにおいて、前記凹陥部が前記マウス本体の右側に設けられ、左手での使用に適していることを特徴とするものである。
【０００８】
請求項４に係るマウスは、請求項１に係るマウスにおいて、前記インターフェース回路がＵＳＢインターフェース回路であることを特徴とするものである。
【０００９】
請求項５に係るマウスは、マウス本体の一側部の片側の指に対応する位置に凹陥部が設けられ、前記凹陥部に上下左右の四方向の押圧部を備えた小型コントローラが設けられ、前記マウス本体内に無線回路及び制御回路を有し、前記制御回路と前記インターフェース回路が電気的に接続され、かつ前記制御回路が前記小型コントローラと電気的に接続され、前記制御回路が前記無線回路を介して無線伝送方式でコンピュータと接続されたとき、前記小型コントローラの上下左右いずれかの方向の押圧部を押して前記小型コントローラに信号を発生させ、発生した信号が前記制御回路を介してキーボードのカーソルキーの信号に変換され、前記コンピュータに出力されてコンピュータモニタ上の３Ｄソフトウェアの方向位置を制御できるよう構成したことを特徴とするマウス。
【００１０】
請求項６に係るマウスは、請求項５に係るマウスにおいて、前記凹陥部が前記マウス本体の左側に設けられ、右手での使用に適していることを特徴とするものである。
【００１１】
請求項７に係るマウスは、請求項５に係るマウスにおいて、前記凹陥部が前記マウス本体の右側に設けられ、左手での使用に適していることを特徴とするものである。
【００１２】
請求項８に係るマウスは、請求項５に係るマウスにおいて、前記無線回路がＲＦ無線回路であることを特徴とするものである。
【考案の効果】
【００１３】
本考案のマウスによれば、マウスがマウスとキーボードの機能を兼ね備え、使用者は両手で同時にマウスとキーボードを操作する必要がなく、片手でマウスと小型コントローラを操作するだけで、同時にマウスとキーボードを制御することができる。
【考案を実施するための最良の形態】
【００１４】
以下、本考案の実施の形態を図面を参照して説明する。図１は本考案の実施形態に係るマウスの斜視図である。また、図２はマウス本体内に配備された回路のブロック図である。本考案のマウス（例えば、光学マウス）はマウス本体１０を備え、マウス本体１０の一側部の片側の指に対応する位置に凹陥部１２が形成され、凹陥部１２上に、上下左右の四方向の押圧部１３１を有する小型コントローラ１３が設置されている。小型コントローラ１３は、手の指でいずれかの方向の押圧部１３１を押すと異なる方向の信号を発生する。
【００１５】
また、マウス本体１０内にはインターフェース回路１４（例えば、ＵＳＢインターフェース回路）及び制御回路１５が設けられ、制御回路１５とインターフェース回路１４とは電気的に接続され、制御回路１５はインターフェース回路１４を介してコンピュータ２０と接続可能である。また、制御回路１５は小型コントローラ１３と電気的に接続されている。
【００１６】
上述の各部材の組立てにより、マウス本体１０をコンピュータ２０と接続したとき、小型コントローラ１３の上下左右いずれかの方向の押圧部１３１を押して小型コントローラ１３で発生した信号が制御回路１５を介してキーボード装置のカーソルキーの信号に変換され、この信号をコンピュータ２０へと出力してコンピュータ２０のモニタ上の３Ｄソフトウェアの方向移動を制御することができる。
【００１７】
このように、本考案のマウスは、マウスがキーボードの機能を兼ね備え、使用者は両手で同時にマウスとキーボードを操作する必要がなく、片手でマウスと小型コントローラ１３を操作するだけで、同時にマウスとキーボードを制御することができる。
【００１８】
図４は、本考案の別の実施形態に係るマウスの斜視図である。図４に示すように、前記凹陥部１２の配置を、マウス本体１０の一側部に代えて他側部、即ち、右側に設け、且つ小型コントローラ１３をこの凹陥部１２上に設置すると、左手での使用に便利である（図４参照）。
【００１９】
本考案において、マウス本体１０をコンピュータ２０と接続したとき、３Ｄソフトウェアは小型コントローラ１３の押圧部１３１の信号をキーボードのカーソルキーの信号として設定することができ、小型コントローラ１３の上下左右いずれかの押圧部１３１を押圧すると、キーボード装置のカーソルキーの信号を発生し、３Ｄソフトウェアの方向移動を制御することができる。
【００２０】
図３はマウス本体内に配備された他の実施形態の回路のブロック図である。マウス本体１０内に無線回路３１（例えば、ＲＦ無線回路）及び制御回路１５が設けられ、制御回路１５と無線回路３１とが電気的に接続され、制御回路１５は無線回路３１を介して無線伝送方式でコンピュータ２０に接続可能である。また、制御回路１５は小型コントローラ１３と電気的に接続されている。
【００２１】
マウス本体１０をコンピュータ２０に接続したとき、小型コントローラ１３の上下左右いずれかの押圧部１３１を押し小型コントローラ１３に発生した信号が、制御回路１５を介してキーボードのカーソルキーの信号に変換され、この信号をコンピュータ２０へと出力し、コンピュータ２０のモニタ上の３Ｄソフトウェアの方向移動を制御することができる。
【００２２】
上記の実施形態においても、図１と図４に示すように、凹陥部１２をマウス本体１０の左側に設け、且つ小型コントローラ１３をこの凹陥部１２上に設置すると、右手での使用に便利である（図１参照）。或いは、凹陥部１２を本体１０の右側に設け、且つ小型コントローラ１３をこの凹陥部１２上に設置すると、左手での使用に便利である（図４参照）。
【００２３】
本考案において、マウス本体１０とコンピュータ２０を接続したとき、前記３Ｄソフトウェアは小型コントローラ１３の押圧部１３１の信号をキーボードのカーソルキーの信号として設定することができ、小型コントローラ１３の上下左右いずれかの押圧部１３１を押圧すると、キーボードのカーソルキーの信号を発生し、３Ｄソフトウェアの方向移動を制御することができる。
【００２４】
本考案によれば、上述のように電流が安定し、振動が小さく、発電機及びベルトの寿命を延長でき、騒音を抑えることができる等の利点を奏するものである。
【図面の簡単な説明】
【００２５】
【図１】本考案の実施形態に係るマウスの斜視図である。
【図２】マウス本体内に配備された回路のブロック図である。
【図３】マウス本体内に配備された他の実施形態の回路のブロック図である。
【図４】本考案の別の実施形態に係るマウスの斜視図である。
【符号の説明】
【００２６】
１０  マウス本体
１２  凹陥部
１３  小型コントローラ
１３１  押圧部
１４  インターフェース回路
１５  制御回路
２０  コンピュータ
３１  無線回路
【図１】
0003139929.tif 000003
【図２】
0003139929.tif 000004
【図３】
0003139929.tif 000005
【図４】
0003139929.tif 000006